【手続補正書】
【提出日】平成28年2月22日(2016.2.22)
【手続補正１】
【補正対象書類名】特許請求の範囲
【補正対象項目名】全文
【補正方法】変更
【補正の内容】
【特許請求の範囲】
【請求項１】
ワイヤレスネットワークにおいて伝送チャネルの品質を評価するための方法であって、
ａ）第１のステーションが、前記伝送チャネルによって、第１のユニキャストメッセージを第２のステーションに送信するステップと、
ｂ）前記第１のユニキャストメッセージの確認応答が前記第２のステーションから受信されない場合、前記第１のステーションが、より高い電力レベルでさらなるユニキャストメッセージを送信するステップと、
ｃ）前記第１のユニキャストメッセージまたは任意のさらなるユニキャストメッセージの確認応答が前記第２のステーションから受信された場合、前記電力レベル、または前記確認応答をトリガするのに必要とされた再送信の数（ｎ）に基づいて前記伝送チャネルの品質を評価するステップと、
を含む、前記方法。
【請求項２】
前記ワイヤレスネットワークはＩＥＥＥ８０２．１１ネットワークである、請求項１に記載の方法。
【請求項３】
前記第１のユニキャストメッセージまたは任意のさらなるユニキャストメッセージは、プローブ応答メッセージである、請求項２に記載の方法。
【請求項４】
ステップａ）は、前記第２のステーションがプローブ要求メッセージを送信することによってトリガされる、請求項３に記載の方法。
【請求項５】
前記第１のステーションは、ＩＥＥＥ８０２．１１ネットワークのアクセスポイントである、請求項２、３、または４に記載の方法。
【請求項６】
ステップｂ）は、前記第１のステーション内で生成されるタイムアウトによってトリガされる、請求項１から５のいずれか一項に記載の方法。
【請求項７】
ステップａ）からステップｃ）は、チャネルの所定のセット内の各チャネルについて実行され、
ｄ）ステップｃ）において最良の品質を記録する前記チャネルを識別するステップと、
ｅ）ステップｄ）で識別された前記チャネルを使用して、前記第１のステーションから前記第２のステーションにメッセージを送信するステップと、
をさらに含む、請求項１から６のいずれか一項に記載の方法。
【請求項８】
ステップａ）で前記第１のユニキャストメッセージが送信される前記電力レベルは、ステップｅ）でメッセージが送信される前記電力レベルより低い、請求項７に記載の方法。
【請求項９】
ステップａ）からステップｃ）は、ステップｅ）が実行された後ですべてのチャネルについて繰り返される、請求項７または８に記載の方法。
【請求項１０】
前記第１のステーションは、前記第１のユニキャストメッセージ内に、ステップｅ）で送られるメッセージ内に含む標準的なステーション識別子情報とは異なるエイリアスステーション識別子情報を含む、請求項７、８、または９に記載の方法。
【請求項１１】
前記第１のステーションは、前記エイリアスステーション識別子情報によって識別されたステーションに向けて送られた関連付け要求を拒否する、請求項１０に記載の方法。
【請求項１２】
前記ワイヤレスネットワークは複数の第２のステーションを含み、ステップａ）からステップｃ）が前記第２のステーションのそれぞれについて実行され、各伝送チャネルの品質が、前記伝送チャネルによって前記第１のステーションと通信した前記第２のステーションの数（ｎｓ）に応じてさらに評価される、請求項７から１１のいずれか一項に記載の方法。
【請求項１３】
ユニキャストメッセージの確認応答が前記第１のステーションによって受信されない場合、所定の遅延後に前記第１のステーション内でタイムアウトが生成され、さらなるユニキャストメッセージが、前記第１のステーションによって、より高い電力レベルで、送信の指定された数に達するまで（ｎｍａｘ）、送信される、請求項１から５のいずれか一項に記載の方法。
【請求項１４】
最も高い電力レベルは、前記第１のステーションが供給することができる最大電力であり、ユニキャストメッセージの確認応答が最も高い電力レベルについて前記第１のステーションによって受信されない場合、確認応答が受信されたチャネルと受信されなかったチャネルとの区別を可能にするために、少なくとも１の値が最大送信の数に加算される、請求項１３に記載の方法。
【請求項１５】
請求項１から１４のいずれか一項に記載の方法を実行するように構成された、レジデンシャルゲートウェイ。
【手続補正２】
【補正対象書類名】明細書
【補正対象項目名】００３３
【補正方法】変更
【補正の内容】
【００３３】
また、本発明の範囲から逸脱することなしに、本発明の他の実施形態が当業者によって使用され得る。ワイヤレスネットワークは、特にＩＥＥＥ８０２．１１規格の１つによるネットワークであるが、任意の他のワイヤレスネットワークをも本方法でテストすることができる。したがって、本発明は、以下に添付された特許請求の範囲にある。
（付記１）
ワイヤレスネットワークにおいて伝送チャネルの品質を評価するための方法であって、
ａ）第１のステーション（１）が、前記伝送チャネルによって、第１のユニキャストメッセージ（応答１）を第２のステーション（２ａ）に送信する（Ｓ４）ステップと、
ｂ）前記第１のユニキャストメッセージ（応答１）の確認応答（ＡＣＫ）が前記第２のステーション（２ａ）から受信されない場合、前記第１のステーション（１）が、より高い電力レベルでさらなるユニキャストメッセージ（応答２、応答３、．．．）を送信する（Ｓ４）ステップと、
ｃ）前記第１のユニキャストメッセージまたは任意のさらなるユニキャストメッセージ（応答１、応答２、応答３、．．．）の確認応答（ＡＣＫ）が前記第２のステーション（２ａ）から受信された場合、前記電力レベル、または前記確認応答（ＡＣＫ）をトリガするのに必要とされた再送信の数（ｎ）に基づいて前記伝送チャネルの品質を評価する（Ｓ２１）ステップと、
を含む、前記方法。
（付記２）
前記ワイヤレスネットワークはＩＥＥＥ８０２．１１ネットワークである、付記１に記載の方法。
（付記３）
前記第１のユニキャストメッセージまたは任意のさらなるユニキャストメッセージ（応答１、応答２、応答３、．．．）は、プローブ応答メッセージである、付記２に記載の方法。
（付記４）
ステップａ）は、前記第２のステーション（２ａ）がプローブ要求メッセージ（要求）を送信することによってトリガされる、付記３に記載の方法。
（付記５）
前記第１のステーション（１）は、ＩＥＥＥ８０２．１１ネットワークのアクセスポイントである、付記２、３、または４に記載の方法。
（付記６）
ステップｂ）は、前記第１のステーション（１）内で生成されるタイムアウトによってトリガされる、付記１から５のいずれか一項に記載の方法。
（付記７）
ステップａ）からステップｃ）は、チャネルの所定のセット内の各チャネルについて実行され、
ｄ）ステップｃ）において最良の品質を記録する前記チャネルを識別する（Ｓ２３）ステップと、
ｅ）ステップｄ）で識別された前記チャネルを使用して、前記第１のステーションから前記第２のステーションにメッセージを送信するステップと、
をさらに含む、付記１から６のいずれか一項に記載の方法。
（付記８）
ステップａ）で前記第１のユニキャストメッセージ（応答１）が送信される前記電力レベルは、ステップｅ）でメッセージが送信される前記電力レベルより低い、付記７に記載の方法。
（付記９）
ステップａ）からステップｃ）は、ステップｅ）が実行された後ですべてのチャネルについて繰り返される、付記７または８に記載の方法。
（付記１０）
前記第１のステーションは、前記第１のユニキャストメッセージ内に、ステップｅ）で送られるメッセージ内に含む標準的なステーション識別子情報とは異なるエイリアスステーション識別子情報を含む、付記７、８、または９に記載の方法。
（付記１１）
前記第１のステーションは、前記エイリアスステーション識別子情報によって識別されたステーションに向けて送られた関連付け要求を拒否する、付記１０に記載の方法。
（付記１２）
前記ネットワークは複数の第２のステーション（２ａ、２ｂ、２ｃ、２ｄ）を含み、ステップａ）からステップｃ）が前記第２のステーションのそれぞれについて実行され、各伝送チャネルの品質が、前記伝送チャネルによって前記第１のステーション（１）と通信した前記第２のステーション（２ａ、２ｂ、２ｃ、２ｄ）の数（ｎｓ）に応じてさらに評価される（Ｓ１８）、付記７から１１のいずれか一項に記載の方法。
（付記１３）
ユニキャストメッセージ（応答１、応答２、応答３、．．．）の確認応答（ＡＣＫ）が前記第１のステーション（１）によって受信されない場合、所定の遅延後に前記第１のステーション（１）内でタイムアウトが生成され、さらなるユニキャストメッセージ（応答２、応答３、．．．）が、前記第１のステーション（１）によって、より高い電力レベルで、送信の指定された数に達するまで（ｎｍａｘ）送信される（Ｓ４）、付記１から５のいずれか一項に記載の方法。
（付記１４）
最も高い電力レベルは、前記第１のステーション（１）が供給することができる最大電力であり、ユニキャストメッセージ（応答１、応答２、応答３、．．．）の確認応答（ＡＣＫ）が最も高い電力レベルについて前記第１のステーション（１）によって受信されない場合、確認応答が受信されたチャネルと受信されなかったチャネルとの区別を可能にするために、少なくとも１の値が最大送信の数に加算される、付記１３に記載の方法。
（付記１５）
付記１から１４のいずれか一項に記載の方法を使用する、レジデンシャルゲートウェイ。